(57)【要約】      （修正有）【課題】磁石の吸着力により連結することできわめて簡単な構成で開閉部材を開閉可能に連結することができるばかりか、取り付け、取り外し操作も簡単で、特に、軽量な開閉部材に適した磁石式蝶番を提供する。【解決手段】互いに対向して接する平面状の当接面２１，３１において前記当接面に垂直方向の回転軸を中心として少なくとも一方が回動する一対の開閉部材間に設置される磁石式蝶番１であって、表面が平面状の基板に回動軸を形成する円形突起２３が突設されている一方の開閉部材に取り付けられる第１の蝶番部材２と、表面が平面状の基板に第１の蝶番部材に突設された突起を回動可能に嵌装する円形溝３３が形成されたもう一方の開閉部材に取り付けられる第２の蝶番部材３とからなり、第１および第２の蝶番部材における基板２２，３２が磁性体により形成されているともにそれらの基板の少なくとも一方に磁力を付与した。【選択図】図１
0003162614.tif 000002
【実用新案登録請求の範囲】
【請求項１】
互いに対向して接する平面状の当接面において前記当接面に垂直方向の回転軸を中心として少なくとも一方が回動する一対の開閉部材間に設置される磁石式蝶番であって、表面が平面状の基板に回動軸を形成する円形突起が突設されている前記一方の開閉部材に取り付けられる第１の蝶番部材と、表面が平面状の基板に前記第１の蝶番部材に突設された前記突起を回動可能に嵌装する円形溝が形成された前記もう一方の開閉部材に取り付けられる第２の蝶番部材とからなり、前記第１および第２の蝶番部材における基板が磁性体により形成されているともにそれらの基板の少なくとも一方に磁力が付与されていることを特徴とする磁石式蝶番。
【請求項２】
前記第１の蝶番部材と第２の蝶番部材の少なくとも一方における基板の裏面に沿って板状の永久磁石が配置されていることを特徴とする請求項１記載の磁石式蝶番。
【請求項３】
前記第１の蝶番部材と第２の蝶番部材が、それぞれの基板の裏面において前記開閉部材に固着されることを特徴とする請求項１または２に記載の磁石式蝶番。
【請求項４】
前記各開閉部材における第１の蝶番部材と第２の蝶番部材の取付部が板状であり、前記第１の蝶番部材と第２の蝶番部材が前記各開閉部材を挟んで支持させる固着手段を有していることを特徴とする請求項１，２または３に記載の磁石式蝶番。
【考案の詳細な説明】
【技術分野】
【０００１】
本考案は、一対の開閉部材を回動軸を中心として回動可能に連結するために用いられる蝶番であって、特に、磁石を用いた磁石式蝶番に関するものである。
【背景技術】
【０００２】
従来、例えば容器本体と蓋、扉と枠体などのように所定の回動軸を中心として一対の開閉部材を回動可能に連結する必要がある場合に蝶番が用いられており、この蝶番において磁石による磁力を用いたものが、例えば特公昭４１−８９６８号公報、特開昭６３−２７３８３１号公報、特開平１１−２５２２２３号公報、特開２００８−１１１２９１号公報などに提示されている。
【０００３】
しかしながら、これらの公報に提示されている磁石を用いた蝶番は、２枚の蝶板を軸体により回動可能に連結したものにおいて、軸体の周囲に磁石を巻回状態で配置して磁石による京着力や反発力を利用して回転を円滑にしたり、所定の開度位置に保持させたりするものであって、磁力を補助的に利用しているものであり、使い勝手や用途は従来の蝶番の域にあるものである。
【先行技術文献】
【特許文献】
【０００４】
【特許文献１】特公昭４１−８９６８号公報
【特許文献２】特開昭６３−２７３８３１号公報
【特許文献３】特開平１１−２５２２２３号公報
【特許文献４】特開２００８−１１１２９１号公報
【考案の概要】
【考案が解決しようとする課題】
【０００５】
本考案は、上記のような問題を解決しようとするものであり、従来のように、開閉部材を軸体により連結することがなく、磁石の吸着力により連結することできわめて簡単な構成で開閉部材を開閉可能に連結することができるばかりか、取り付け、取り外し操作も簡単で、特に、軽量な開閉部材に適した磁石式蝶番を提供するものである。
【課題を解決するための手段】
【０００６】
そこで、本考案は、互いに対向して接する平面状の当接面において前記当接面に垂直方向の回転軸を中心として少なくとも一方が回動する一対の開閉部材間に設置される磁石式蝶番であって、表面が平面状の基板に回動軸を形成する円形突起が突設されている前記一方の開閉部材に取り付けられる第１の蝶番部材と、表面が平面状の基板に前記第１の蝶番部材に突設された前記突起を回動可能に嵌装する円形溝が形成された前記もう一方の開閉部材に取り付けられる第２の蝶番部材とからなり、前記第１および第２の蝶番部材における基板が磁性体により形成されているともにそれらの基板の少なくとも一方に磁力が付与されていることを特徴とする。
【０００７】
また、本発明において、第１の蝶番部材と第２の蝶番部材の少なくとも一方における基板の裏面に沿って板状の永久磁石が配置されている場合には全体としてコンパクトに形成することができ、第１の蝶番部材と第２の蝶番部材が、それぞれの基板の裏面において前記開閉部材に固着されると、使い勝手がよく、前記各開閉部材における第１の蝶番部材と第２の蝶番部材の取付部が板状であり、前記第１の蝶番部材と第２の蝶番部材が前記各開閉部材を挟んで支持させる固着手段を有している場合には取り付けねじなどを用いること
なく簡単に且つ確実に開閉部材に取り付けることができる。
【考案の効果】
【０００８】
本考案によれば、軸体により連結することがなく、磁石の吸着力により連結することできわめて簡単な構成で開閉部材を開閉可能に連結することができるばかりか、取り付け、取り外し操作も簡単で、特に、軽量な開閉部材に適した磁石式蝶番を提供することができる。
【図面の簡単な説明】
【０００９】
【図１】本考案における好ましい実施の形態を示す斜視図であり、（ａ）は第１の蝶番部材、（ｂ）は第２の蝶番部材を示す。
【図２】図１に示した実施の形態の断面図を示すものであり、（ａ）は第１の蝶番部材、（ｂ）は第２の蝶番部材を示し、（ｃ）は第１の蝶番部材と第２の蝶番部材とを接合した状態を示す。
【図３】互いに板状の開閉部材に取り付けた図１に示した実施の形態の使用状態を示すものであり、（ａ）は各蝶番部材を開閉部材に取り付けた状態を示す斜視図、（ｂ）は更に各蝶番部材を吸着させて磁石式蝶番を形成した状態を示す斜視図、（ｃ）は（ｂ）の断面拡大部分図。
【図４】本考案の異なる実施の形態の使用状態を示す斜視図。
【図５】図４に示した実施の形態を開閉式の蓋付き容器について使用した状態を示すものであり、（ａ）は蓋を取外した状態の分解斜視図、（ｂ）は蓋を取付けた状態の斜視図である。
【図６】本考案を開閉式の蓋付き容器について使用した異なる実施の形態を示すものであり、（ａ）は蓋を閉じた状態の斜視図、（ｂ）は蓋を外した状態の分解斜視図である。
【考案を実施するための形態】
【００１０】
以下に、図面を参照しながら本考案を実施するための形態を説明する。
【００１１】
図１は本考案の好ましい実施の形態を示すものであり、磁石式蝶番１は、全体が同じ大きさでほぼ薄形円板状を呈し、例えば鉄材のような磁性体によりなる第１の蝶番部材２と第２の蝶番部材３とから構成され、第１の蝶番部材２と第２の蝶番部材３とは、表面に互いに対向して接する平面状で円形の当接面２１，３１を有する基板２２，３２を有するとともに、例えば前記第１の蝶番部材２における基板２２の当接面２１の中心に適宜の径を有する円形突起２３が突設されている。
【００１２】
また、前記第２の蝶番部材３の基板３１における当接面３１の中心には前記第１の蝶番部材２における基板３２の当接面２１の中心に形成した円形突起２３が回動可能に嵌装される径と深さを有する円形溝３３が形成されており、図２に示すように、前記円形突起２２と円形溝３２とを嵌装させた状態で基板２２，３２における当接面２１，３１を互いに当接させたときに、円形突起２２と円形溝３２とが基板２２，３２の中心位置に垂直方向の回転軸Ｃを形成する。
【００１３】
尚、前記基板２２に形成される円形突起２２は、基板２２に別部材を付設してもよいが、基板２２をプレス加工することにより簡単に形成することができる。また、基板３２の円形溝３２もプレス加工により簡単に形成することができる。
【００１４】
また、前記第１の蝶番部材２と第２の蝶番部材３は、それぞれの基板２２，３２の内側に薄型の永久磁石２４，３４が内装されている。これらの永久磁石２４，３４はそれぞれの基板２２，３２の各表面２１，３１側に互いに異なる磁極（Ｎ極とＳ極）が配置される
ように内蔵され、前記表面２１と表面３１とが互いに吸着するように構成されている。
【００１５】
尚、本実施の形態では蝶番部材２と第２の蝶番部材３は、それぞれの基板２２，３２の内側に薄型の永久磁石２４，３４が内装されているが、永久磁石２４または永久磁石３４はいずれか一方に内蔵されていればよい。
【００１６】
図３は本実施の形態である蝶番１を互いに平行に重ね合わせた板状の開閉部材４，５について使用した場合を示すものであり、初めに図３（ａ）に示すように、開閉部材４，５の対向面４１，５１の所定位置に、蝶番１を形成する第１の蝶番部材２および第２の蝶番部材３をそれぞれ基板２２，３２の背面２４，３４において固着する。
【００１７】
尚、第１の蝶番部材２および第２の蝶番部材３の開閉部材４，５への固着手段は特に問わず、開閉部材４，５の材質、用途、第１の蝶番部材２および第２の蝶番部材３の吸着力に合わせて例えば接着、粘着、ねじ止めなどの固着手段を用いて固着すればよい。
【００１８】
そして、図３（ｂ）に示すように、第１の蝶番部材２および第２の蝶番部材３の円形突起２２と円形溝３２とを嵌装させた状態で基板２２，３２における当接面２１，３１を互いに当接させると、当接面２１，３１が前記図１に示した永久磁石２４（３４）の磁力により互いに吸着して連結する。
【００１９】
従って、図３（ｃ）に示すように、前記開閉部材４，５を円形突起２２と円形溝３２の中心位置における垂直方向の回転軸Ｃを中心として互いに異なる方向に或いは一方を固定して他方を回動させることにより磁石式蝶番としての機能を発揮させることができる。
【００２０】
このように、本実施の形態によれば、第１の蝶番部材２と第２の蝶番部材３とを開閉部材４，５に取り付けるとともに、第１の蝶番部材２と第２の蝶番部材３とを円形突起２２と円形溝３２とを嵌装して当接させるだけの簡単な作業で磁石式蝶番を形成することができ、また、第１の蝶番部材２と第２の蝶番部材３とを吸着力に抗して引き離すだけの簡単な操作で開閉部材４，５を互いに分離させることもできる。
【００２１】
尚、図４に示したものは、前記図３に示した開閉部材４が厚紙や木材の合成樹脂板などのように比較的薄い場合に適した固着手段６を有する本考案における実施の形態を示すものであり、この固着手段６は、図４（ａ）に示すように、例えば第１の蝶番部材２の背面２４の周縁から背後へ向けて突出させた例えば鉄材のように塑性を有する材料により形成される折曲げ可能な一対の係止片６１，６１と、前記係止片６１，６１の挿通孔６２，６２を形成した板状の固着部材６３とから構成され、図４（ｂ）に示すように、予め開閉部材４の所定位置に形成した或いは前記係止片６１，６１を突き刺して形成した挿通孔４２，４２に係止片６１，６１を貫通挿入して第１の蝶番部材２の背面２４を開閉部材４の対向面に配置するとともに、開閉部材４から突出している係止片６１，６１を挿通孔６２，６２へ挿通させて固着部材６３を開閉部材４に当接、配置させ、前記係止片６１，６１を固着部材６３に沿って折り曲げることにより開閉部材４を第１の蝶番部材２と固着部材６とで挟持することにより固着するものであり、ねじや接着剤などの取り扱いが面倒な他の固着部材が不要でありるばかりか、確実に且つ強固に固着させることが可能であり、磁石式蝶番としての機能も充分に発揮させることができる。尚、ここでは第１の蝶番部材２について説明したが、第２の蝶番部材３についても同様に実施することができる。
【００２２】
図５は、前記実施の形態に示した磁石式蝶番１，１を蓋付き容器７に使用したものであり、蓋付き容器７は、例えば適宜の厚さのボール紙等により形成されており、平面が矩形状で有底の容器本体８と前記容器本体８の開口部８１を覆う蓋体９とからなる。
【００２３】
そして、前記蓋付き容器７を構成する容器本体８は左右の側板８２，８２の一端に前記第２の蝶番部材３，３が中心を合わせて前記いずれかの固定手段により対向配置されている。
【００２４】
また、容器本体８に被せられる蓋体９は、容器本体８の開口部８１とほぼ同形で開口部８１を覆う蓋体本体９１とその左右の側縁９２，９２に沿って下方へ垂下される前記容器本体８の左右の側板８２，８２の外側に重ねられる側板９３，９３が折曲、形成されており、それらの側板９３，９３の内側、後方の所定位置に第１の蝶番部材２，２が固着されている。
【００２５】
そして、蓋体９の側板９３，９３に固着された第１の蝶番部材２，２を、容器本体８の側板８２，８２に固着された第２の蝶番部材３，３を前記図２に示したように、円形突起２２と円形溝３２とを嵌装させた状態で基板２２，３２における当接面２１，３１を互いに当接させると、当接面２１，３１が前記図１に示した永久磁石２４（３４）の磁力により互いに吸着させて連結することにより容器本体８に蓋体９が磁石式蝶番１，１により蝶着される。従って、蓋体９を磁石式蝶番１，１を中心として回動させることにより蓋体９を開閉させることができる。
【００２６】
また、第１の蝶番部材２，２と第２の蝶番部材３，３との連結状態を解除するにも互いの吸着力に抗して引き離すだけの簡単な操作で行うことができる。
【００２７】
尚、ここでは板状の開閉部材や蓋付き容器について本考案を実施した場合を示したが、本考案である磁石式の蝶番は取り付け面に対して垂直方向の回動軸を有する各種の開閉部材について使用することができるものである。
【００２８】
図６は、前記実施の形態に示した磁石式蝶番１，１を異なる形態の蓋付き容器７に使用したものであり、蓋付き容器７は、例えば適宜の厚さのボール紙等により形成されており、前記図５に示した実施の形態と同様に平面が矩形状で有底の容器本体８と前記容器本体８の開口部８１を覆う蓋体９とからなる。
【００２９】
そして、前記蓋付き容器７を構成する容器本体８は左右の側板８２，８２の開口端縁８４に沿って外側を断面が円弧状に形成された柱状の支持体８５が横方向に配置されており、その両側面８６，８６に前記第２の蝶番部材３，３が中心を合わせて前記いずれかの固定手段により対向配置されている。
【００３０】
一方、容器本体８に被せられる蓋体９は、容器本体８の開口部８１とほぼ同形で開口部８１を覆う蓋体本体９１とその左右の側縁９２，９２に沿って下方へ垂下される前記容器本体８の左右の側板８２，８２上側に重ねられる側板９３，９３が折曲、形成されており、それらの側板９３，９３の後端に形成した前記容器本体８における支持体８５の側面８６，８６に当接する板状の突出端９３１，９３１の内側に第１の蝶番部材２，２が固着されている。
【００３１】
そして、蓋体９の突出端９３１，９３１に固着された第１の蝶番部材２，２を、容器本体８における支持体８５の側面８６，８６に固着された第２の蝶番部材３，３を前記図２に示したように、円形突起２２と円形溝３２とを嵌装させた状態で基板２２，３２における当接面２１，３１を互いに当接させると、当接面２１，３１が前記図１に示した永久磁石２４（３４）の磁力により互いに吸着させて連結することにより容器本体８に蓋体９が磁石式蝶番１，１により蝶着される。従って、蓋体９を磁石式蝶番１，１を中心として回動させることにより蓋体９を開閉させることができる。
【００３２】
特に、本実施の形態では蓋体９の殆どが容器本体８の上部に露出して全体として高級感を呈するような蓋付き容器７について実施したものであり、このように本考案は蓋体と容器本体との間に蝶番部材２，２および蝶番部材３，３を互いに接する状態でそれぞれ固着することができる限りは各種の蓋付き容器について蝶番として実施することができるものである。
【符号の説明】
【００３３】
１  磁石式蝶番、２  第１の蝶番部材、３  第２の蝶番部材、４  開閉部材、５  開閉部材、６  固着手段、７  固着手段、２１  当接面、２２  基板、２３  円形突起、２４
永久磁石、２５  背面、３１  当接面、３２  基板、３３  円形溝、３４  永久磁石、３５  背面、４１  対向面、５１  対向面、６１  係止片
【図１】
0003162614.tif 000003
【図２】
0003162614.tif 000004
【図３】
0003162614.tif 000005
【図４】
0003162614.tif 000006
【図５】
0003162614.tif 000007
【図６】
0003162614.tif 000008